(57)【要約】【課題】従来の検定試等を行うシステムによれば、端末から入力された解答が全端末からサーバ装置に送信され、試験結果の判定（採点）をサーバ装置が行う。従って、通信負荷が大きい。【解決手段】格納されている問題情報を出力する問題情報出力部と、問題情報出力部が出力した問題情報に対する１以上の入力を受け付ける入力受付部と、入力受付部で受け付けた１以上の入力が、格納されている１以上の解答情報に基づいて一定の条件に合致するか否かを判断する条件判断部と、条件判断部における判断が一定の条件に合致するとの判断の場合にのみ、条件に合致するとの旨を示す情報である条件合致情報を送信する条件合致情報送信部を具備する問題処理装置であり、かかる問題処理装置により、認定試験等をネットワークで行う際の通信負荷が小さくなる。【選択図】　図２
2004086670.tif 000002
【特許請求の範囲】
【請求項１】
１以上の問題情報を格納している問題情報格納部と、
前記問題情報が示す問題に対する解答である１以上の解答情報を格納している解答情報格納部と、
前記問題情報格納部に格納されている問題情報を出力する問題情報出力部と、
前記問題情報出力部が出力した問題情報に対する１以上の入力を受け付ける入力受付部と、
前記入力受付部が受け付けた１以上の入力が、前記解答情報格納部に格納されている１以上の解答情報に基づいて一定の条件に合致するか否かを判断する条件判断部と、
前記条件判断部における判断が一定の条件に合致するとの判断の場合にのみ、条件に合致するとの旨を示す情報である条件合致情報を送信する条件合致情報送信部
を具備する問題処理装置。
【請求項２】
ユーザを識別する情報であるユーザ識別子を格納しているユーザ識別子格納部をさらに具備し、
前記条件合致情報は、前記ユーザ識別子を含む請求項１記載の問題処理装置。
【請求項３】
前記問題情報格納部が格納している１以上の問題情報は、外部から受信した情報である請求項１または請求項２いずれか記載の問題処理装置。
【請求項４】
前記問題情報格納部が格納している１以上の問題情報は、放送受信手段により受信した情報である請求項３記載の問題処理装置。
【請求項５】
前記外部から受信した１以上の問題情報を古い問題情報と置き換える請求項３または請求項４いずれか記載の問題処理装置。
【請求項６】
前記条件判断部における動作を行うプログラムを外部から受信する請求項１から請求項５いずれか記載の問題処理装置。
【請求項７】
前記条件判断部における動作を行うプログラムを放送受信手段により受信する請求項６記載の問題処理装置。
【請求項８】
前記受信したプログラムを古いプログラムと置き換える請求項６または請求項７いずれか記載の問題処理装置。
【請求項９】
前記問題情報出力部が出力する問題を構成するための情報である問題構成情報を格納している問題構成情報格納部をさらに具備し、
前記問題情報出力部は、前記問題構成情報に基づいて、前記問題情報格納部から問題を選択して出力する請求項１から請求項８いずれか記載の問題処理装置。
【請求項１０】
前記問題構成情報を外部から受信する請求項９記載の問題処理装置。
【請求項１１】
前記問題構成情報を放送受信手段により受信する請求項１０記載の問題処理装置。
【請求項１２】
試験や問題等を分類する情報である分類情報の入力を受け付ける分類情報入力受付部をさらに具備し、
前記問題情報出力部は、前記分類情報に基づいて、前記問題情報格納部から問題を選択して出力する請求項１から請求項８いずれか記載の問題処理装置。
【請求項１３】
前記一定の条件を外部から受信する請求項１から請求項１２いずれか記載の問題処理装置。
【請求項１４】
前記一定の条件を放送受信手段により受信する請求項１３記載の問題処理装置。
【請求項１５】
前記受信した一定の条件を古い一定の条件と置き換える請求項１３または請求項１４いずれか記載の問題処理装置。
【請求項１６】
一定の条件は、前記入力受付部が受け付けた１以上の入力が、前記解答情報格納部に格納されている１以上の解答情報に合致する割合が一定以上であることを示す条件である請求項１から請求項１５いずれか記載の問題処理装置。
【請求項１７】
前記問題情報出力部が問題情報を出力する前、または／および前記入力受付部が入力を受け付ける前に受験資格を確認する情報である受験資格確認情報をサーバ装置に送信する受験資格確認情報送信部と、
サーバ装置から前記受験資格確認情報の送信に対応する認証結果を示す認証結果情報を受信する認証結果情報受信部をさらに具備し、
前記認証結果情報が示す認証結果によって動作が異なる請求項１から請求項１６いずれか記載の問題処理装置。
【請求項１８】
前記認証結果情報が認証不適であることを示す情報である場合に、前記問題情報出力部は問題情報を出力しない請求項１７記載の問題処理装置。
【請求項１９】
問題情報または／および解答情報の一部を削除する命令である削除命令を受信する問題削除命令受信部と、
前記削除命令に基づいて前記問題情報格納部に格納されている問題情報または／および前記解答情報格納部に格納されている解答情報を削除する請求項１から請求項１８いずれか記載の問題処理装置。
【請求項２０】
試験時間を示す情報である試験時間情報を格納している試験時間情報格納部と、
前記試験時間情報に基づいて試験開始と試験終了の動作を行う試験制御部を
さらに具備する請求項１から請求項１９記載の問題処理装置。
【請求項２１】
前記試験時間情報は、試験開始時刻を示す試験開始時刻情報と、試験終了時刻を示す試験終了時刻情報を有し、
前記試験制御部は、試験開始時刻情報が示す試験開始時刻に、前記問題情報出力部に問題情報の出力または／および前記入力受付部に入力受付の開始を指示し、試験終了時刻情報が示す試験終了時刻に、前記問題情報出力部に問題情報の出力の停止または／および前記入力受付部に入力受付の停止を指示する請求項２０記載の問題処理装置。
【請求項２２】
前記試験時間情報を外部から受信する請求項２０または請求項２１いずれか記載の問題処理装置。
【請求項２３】
前記試験時間情報を放送受信手段により受信する請求項２２記載の問題処理装置。
【請求項２４】
前記問題情報出力部は、問題の一覧を示すメニューである問題メニューを表示し、
前記入力受付部は、問題メニューの中から一の問題を選択する入力を受け付け、前記問題情報出力部は、前記問題を選択する入力に基づいて当該問題に対応する問題情報を出力する請求項１から請求項２３いずれか記載の問題処理装置。
【請求項２５】
前記問題メニューは、問題に対する解答の入力があったか否かを視覚的に示すメニューである請求項２４記載の問題処理装置。
【請求項２６】
前記条件判断部における判断が一定の条件に合致するとの判断の場合にのみ、条件合致情報を送信することを指示する送信指示入力を受け付けるボタンが表示され、
前記条件合致情報送信部は、前記ボタンの押下による送信指示入力を受け付けた場合に、条件合致情報を送信する請求項１から請求項２５いずれか記載の問題処理装置。
【請求項２７】
請求項１から請求項２６いずれか記載の問題処理装置から前記条件合致情報を受信し、蓄積するサーバ装置。
【請求項２８】
請求項１７から請求項１９いずれか記載の問題処理装置から受験資格確認情報を受信する受験資格確認情報受信部と、
前記受験資格確認情報に基づいて当該問題処理装置の受験資格を認証し、認証結果を示す認証結果情報を構成する認証結果情報構成部と、
前記認証結果情報を当該問題処理装置に送信する認証結果情報送信部を具備するサーバ装置。
【請求項２９】
受験資格確認情報はユーザ識別子を含み、
ユーザ識別子を含む受験履歴情報を格納している受験履歴情報格納部と、
前記受験資格確認情報が含むユーザ識別子と同一のユーザ識別子を有する受験履歴情報を前記受験履歴情報格納部から取得する受験履歴情報取得部をさらに具備し、
前記認証結果情報構成部は、前記受験履歴情報取得部が取得した受験履歴情報に基づいて受験資格を認証し、認証結果情報を構成する請求項２８記載のサーバ装置。
【請求項３０】
前記認証結果情報構成部は、前記受験履歴情報取得部が取得した受験履歴情報に基づいて、同一の試験に既に合格している受験者を不適とする認証結果情報を構成する請求項２９記載のサーバ装置。
【請求項３１】
前記認証結果情報構成部は、前記受験履歴情報取得部が取得した受験履歴情報に基づいて、同一の試験を同日に既に受験した受験者を不適とする認証結果情報を構成する請求項２９記載のサーバ装置。
【請求項３２】
請求項１から請求項２６いずれか記載の問題処理装置と請求項２７記載のサーバ装置を具備する試験検定システム。
【請求項３３】
請求項１７から請求項１９いずれか記載の問題処理装置と請求項２８から請求項３１いずれか記載のサーバ装置を具備する試験検定システム。
【請求項３４】
コンピュータに、
格納されている問題情報を出力する問題情報出力ステップと、
前記問題情報出力ステップで出力した問題情報に対する１以上の入力を受け付ける入力受付ステップと、
前記入力受付ステップで受け付けた１以上の入力が、格納されている１以上の解答情報に基づいて一定の条件に合致するか否かを判断する条件判断ステップと、前記条件判断ステップにおける判断が一定の条件に合致するとの判断の場合にのみ、条件に合致するとの旨を示す情報である条件合致情報を送信する条件合致情報送信ステップを
実行させるためのプログラム。
【請求項３５】
コンピュータに、
問題情報を受信する問題情報受信ステップを
さらに実行させる請求項２７記載のプログラム。
【請求項３６】
前記問題情報出力ステップは、格納されている問題構成情報に基づいて、格納されている複数の問題情報から選択して問題情報を出力する請求項２７記載のプログラム。
【請求項３７】
コンピュータに、
前記問題情報を出力する前、または／および前記入力を受け付ける前に受験資格を確認する情報である受験資格確認情報をサーバ装置に送信する受験資格確認情報送信ステップと、
サーバ装置から前記受験資格確認情報の送信に対応する認証結果を示す認証結果情報を受信する認証結果情報受信ステップをさらに実行させ、
当該認証結果情報に基づいて動作が異なる請求項２７または請求項２８いずれか記載のプログラム。
【発明の詳細な説明】
【０００１】
【発明の属する技術分野】
本発明は、主に、１以上の問題を有する試験を行って合否を決定する試験検定システムおよびそのシステムを構成する問題処理装置、サーバ装置等に関するものである。
【０００２】
【従来の技術】
従来の検定試験システムとして、特開２００２−６２７９５記載のシステムがある。本検定試験システムの概念図を図３２に示す。本検定試験システムは、設問形式の問題を受験者に対して提供し、前記問題に対する回答を収集して採点又は解析の結果情報を提供する検定試験システムであって、前記問題を含んだ出題用プログラム及び前記問題に対する回答を返送する転送用ファイルを前記受験者に対して提供するステップと、前記受験者から返送される前記転送用ファイルを受信するステップと、前記転送用ファイルに含まれる回答を採点又は解析するステップと、前記回答を採点又は解析した結果情報を前記受験者に対して配信するステップを備えたことを特徴とする検定試験システムである。
【０００３】
【発明が解決しようとする課題】
しかし、従来技術によれば、受験者の端末は、試験中にも常時ネットワークに接続されている。また、端末から入力された解答が全端末からサーバ装置に送信され、試験結果の判定（採点）をサーバ装置が行う。従って、通信負荷が大きい。
【０００４】
また、従来技術によれば、受験履歴の情報に基づいた認証処理が行われておらず、不適切な受験が行われる可能性がある。
【０００５】
また、従来技術によれば、試験開始の直前に不適切な問題が発見された場合に、適正な問題に変更できない。
【０００６】
さらに、従来技術によれば、特に、問題をランダムに解答している場合に、問題の解答状況を一覧できず、時間配分や解答の進め方が難しかった。
【０００７】
【課題を解決するための手段】
以上の課題を解決するために、第一の発明は、１以上の問題情報を格納している問題情報格納部と、問題情報が示す問題に対する解答である１以上の解答情報を格納している解答情報格納部と、問題情報格納部に格納されている問題情報を出力する問題情報出力部と、問題情報出力部が出力した問題情報に対する１以上の入力を受け付ける入力受付部と、入力受付部で受け付けた１以上の入力が、解答情報格納部に格納されている１以上の解答情報に基づいて一定の条件に合致するか否かを判断する条件判断部と、条件判断部における判断が一定の条件に合致するとの判断の場合にのみ、条件に合致するとの旨を示す情報である条件合致情報を送信する条件合致情報送信部を具備する問題処理装置であり、かかる問題処理装置により、認定試験等をネットワークで行う際の通信負荷が小さくなる。
【０００８】
また、第ニの発明は、試験開始前に受験資格を確認する情報である受験資格確認情報をサーバ装置に送信する受験資格確認情報送信部と、サーバ装置から受験資格確認情報の送信に対応する受験履歴に基づいた認証の結果を示す認証結果情報を受信する認証結果情報受信部を具備し、認証結果情報が示す認証結果によって動作が異なる問題処理装置であり、かかる問題処理装置により、不適切な受験が防止できる。
【０００９】
また、第三の発明は、問題情報または／および解答情報の一部を削除する命令である削除命令を受信する問題削除命令受信部と、削除命令に基づいて問題情報格納部に格納されている問題情報または／および解答情報格納部に格納されている解答情報を削除する問題処理装置であり、かかる問題処理装置により、試験開始の直前に不適切な問題が発見された場合にも、適正な試験が実施できる。
【００１０】
さらに、第四の発明は、問題情報出力部は問題の一覧を示すメニューである問題メニューを表示し、入力受付部は問題メニューの中から一の問題を選択する入力を受け付け、問題情報出力部は問題を選択する入力に基づいて当該問題に対応する問題情報を出力することにより、問題全体が外観でき、試験の時間配分や解答の進め方が容易になる。特に、問題メニューが問題への解答情報の入力があったか否かを視覚的に示すメニューである場合には、さらに、試験の時間配分や解答の進め方が容易になる。
【００１１】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１２】
（実施の形態１）
図１は、本実施の形態に係る試験検定システムの概念図である。試験検定システムは、問題処理装置１１、サーバ装置１２を有する。なお、問題処理装置１１は多数存在するため、その符号を１１（１）、１１（２）・・・１１（ｎ）としている。図１において、問題処理装置１１とサーバ装置１２は、ネットワークで接続されているが、両装置が情報を送受信できれば、どのような手段でも良い。例えば、両装置は、放送手段により情報を送受信しても良い。問題処理装置１１は、格納している問題情報を出力し、試験を受けるユーザからの解答の入力を受け付ける。そして、問題処理装置１１は、採点を行い、一定の条件を満たす場合にのみ、サーバ装置１２にその旨を示す情報である条件合致情報を送信する。サーバ装置１２は、条件合致情報を受信し、蓄積する。
【００１３】
図２は、本試験検定システムのブロック図である。問題処理装置１１は、問題情報格納部１１０１、解答情報格納部１１０２、問題情報出力部１１０３、入力受付部１１０４、条件判断部１１０５、条件合致情報送信部１１０６、試験時間情報格納部１１０７、試験制御部１１０８を有する。サーバ装置１２は、条件合致情報受信部１２０１、条件合致情報蓄積部１２０２を有する。
【００１４】
問題情報格納部１１０１は、１以上の問題情報を格納している。問題情報のデータ構造やデータタイプ（テキスト、静止画、動画、音声など）は問わない。問題情報格納部１１０１は、不揮発性の記録媒体でも揮発性の記録媒体でも良い。
【００１５】
解答情報格納部１１０２は、問題情報が示す問題に対する解答である１以上の解答情報を格納している。解答情報のデータ構造やデータタイプ（テキスト、静止画、動画、音声など）は問わない。但し、解答情報は問題情報と対応付けられている。つまり、解答情報は、どの問題に対する解答を示す情報であるかが判断できる構造になっている。解答情報格納部１１０２は、不揮発性の記録媒体でも揮発性の記録媒体でも良い。
【００１６】
問題情報出力部１１０３は、問題情報格納部１１０１に格納されている問題情報を出力する。出力とは、通常、ディスプレイへの表示であるが、スピーカーへの音声出力、プリンタへの印字、点字による出力なども含む概念である。問題情報出力部１１０３は、ディスプレイ等の出力媒体を含む場合と、出力媒体を含まない場合がある。問題情報出力部１１０３は、出力媒体に情報を渡すソフトウェアまたはハードウェア（専用回路）により実現され得る。
【００１７】
入力受付部１１０４は、問題情報出力部１１０３が出力した問題情報に対する１以上の入力を受け付ける。入力受付部１１０４は、マウスやキーボードやリモコン等の入力媒体からの入力を受け付ける。入力受付部１１０４は、マウス等の入力媒体のドライバーソフトウェア等により実現され得る。
【００１８】
条件判断部１１０５は、入力受付部１１０４で受け付けた１以上の入力が、解答情報格納部１１０２に格納されている１以上の解答情報に基づいて一定の条件に合致するか否かを判断する。一定の条件とは、例えば、合格か否か、正解率が７０％以上、優・良・可・不可の４段階の試験の場合に可以上、などの条件である。但し、一定の条件とは、試験の結果だけではなく、受験者が合格通知書を欲するか否かなどの条件でも良い。条件判断部１１０５は、通常、ＭＰＵやメモリ等から実現され得る。条件判断部１１０５が一定の条件に合致するか否かを判断するための処理手順は、通常、ソフトウェアで実現され、当該ソフトウェアはハードディスク等の記録媒体に記録されている。但し、ハードウェア（専用回路）で実現しても良い。
【００１９】
条件合致情報送信部１１０６は、条件判断部１１０５における判断が一定の条件に合致するとの判断の場合にのみ、条件に合致するとの旨を示す情報である条件合致情報をサーバ装置１２に送信する。条件合致情報のデータ構造やデータタイプは問わない。条件合致情報は、ユーザを識別する情報であるユーザ識別子だけでも良いし、「試験合格」を示すビットが立っているだけの情報でも良いし、受験者の詳細な属性値（氏名、年齢など）を含む情報を有しても良い。条件合致情報送信部１１０６は、通常、無線または有線の通信手段で実現されるが、放送手段で実現しても良い。
【００２０】
試験時間情報格納部１１０７は、試験時間を示す情報である試験時間情報を格納している。試験時間情報は、通常、試験開始時刻を示す試験開始時刻情報と、試験終了時刻を示す試験終了時刻情報を有する。また、試験時間情報は、開始、終了時刻ではなく、試験に解答できる時間的な長さ（６０分間など）であっても良い。さらに、試験時間情報は試験開始時刻情報のみ、または試験終了時刻情報のみ等の他の構造でも良い。試験時間情報格納部１１０７は、不揮発性の記録媒体でも揮発性の記録媒体でも良い。
【００２１】
試験制御部１１０８は、試験時間情報に基づいて試験開始と試験終了の動作を行う。試験制御部１１０８は、例えば、試験開始時刻情報が示す試験開始時刻に、問題情報出力部１１０３に問題の出力または／および入力受付部１１０４に入力受付の開始を指示し、試験終了時刻情報が示す試験終了時刻に、問題情報出力部１１０３に問題の出力の停止または／および入力受付部１１０４に入力受付の停止を指示する。但し、試験制御部１１０８は、ディスプレイの電源をＯＦＦにする、問題処理装置１１をシャットダウンする、サーバ装置１２と問題処理装置１１との通信を遮断するなどの他の制御を行ってもよい。試験制御部１１０８は、通常、ＭＰＵやメモリ等から実現され得る。試験制御部１１０８が行う制御処理の手順は、通常、ソフトウェアで実現され、当該ソフトウェアはハードディスク等の記録媒体に記録されている。但し、ハードウェア（専用回路）で実現しても良い。
【００２２】
条件合致情報受信部１２０１は、問題処理装置１１から条件合致情報を受信する。条件合致情報受信部１２０１は、通常、無線または有線の通信手段で実現されるが、放送を受信する手段で実現しても良い。
【００２３】
条件合致情報蓄積部１２０２は、条件合致情報受信部１２０１が受信した条件合致情報を蓄積する。条件合致情報蓄積部１２０２は、ハードディスク等の蓄積媒体を含む場合も、含まない場合もある。条件合致情報蓄積部１２０２は、通常、ＭＰＵやメモリ等から実現され得る。条件合致情報蓄積部１２０２が条件合致情報を蓄積する処理手順は、通常、ソフトウェアで実現され、当該ソフトウェアはハードディスク等の記録媒体に記録されている。但し、ハードウェア（専用回路）で実現しても良い。
【００２４】
以下、本実施の形態における試験検定システムの動作について説明する。まず、問題処理装置１１の動作について、図３のフローチャートを用いて説明する。
【００２５】
（ステップＳ３０１）試験制御部１１０８は、試験時間情報格納部１１０７の試験開始時刻情報に基づいて試験開始時刻になったか否かを判断する。試験開始時刻であればステップＳ３０２に行き、試験開始時刻でなければステップＳ３０１に戻る。なお、試験制御部１１０８は、通常、時計（図示しない）を具備している。
【００２６】
（ステップＳ３０２）問題情報出力部１１０３は、問題情報格納部１１０１に格納されている問題情報を出力する。
【００２７】
（ステップＳ３０３）入力受付部１１０４は、出力されている問題情報に対する解答情報の入力を受け付けたか否かの判断をする。解答情報の入力を受け付ければステップＳ３０４に行き、解答情報の入力を受け付けなければステップＳ３０５に飛ぶ。
【００２８】
（ステップＳ３０４）ステップＳ３０３で受け付けられた入力（解答）を蓄積する。この蓄積は、一時メモリへの蓄積でも良い。また、２以上の入力が蓄積される場合には、追記される。２以上の入力は、上書きされない。
【００２９】
（ステップＳ３０５）試験制御部１１０８は、試験時間情報格納部１１０７の試験終了時刻情報に基づいて試験終了時刻になったか否かを判断する。試験終了時刻であればステップＳ３０６に行き、試験終了時刻でなければステップＳ３０３に戻る。
【００３０】
（ステップＳ３０６）条件判断部１１０５は、ステップＳ３０３で受け付けた１以上の入力が、解答情報格納部１１０２に格納されている１以上の解答情報に基づいて一定の条件に合致するか否かを判断する。なお、条件判断部１１０５は、一定の条件を格納している。一定の条件とは、例えば、受け付けた１以上の入力が、解答情報格納部１１０２に格納されている１以上の解答情報に合致する割合が一定以上であることを示す条件である。つまり、一定の条件とは、例えば、合格であるための得点や合格であるための正解率等を示す情報である。
【００３１】
（ステップＳ３０７）ステップＳ３０６における条件判断の結果、条件に合致する場合には、ステップＳ３０８に行き、条件に合致しない場合は、処理を終了する。但し、条件に合致しない場合は、例えば、不合格でもある旨を表示する等の処理をしても良い。
【００３２】
（ステップＳ３０８）条件合致情報送信部１１０６は、条件合致情報を構成する。
【００３３】
（ステップＳ３０９）条件合致情報送信部１１０６は、ステップＳ３０８で構成した条件合致情報をサーバ装置１２に送信する。サーバ装置１２に送信するためのサーバ装置のＩＰアドレスやＵＲＬやメールアドレス等は、条件合致情報送信部１１０６が予め保持している、とする。
【００３４】
次に、サーバ装置１２の動作について説明する。サーバ装置１２の条件合致情報受信部１２０１は、問題処理装置１１から条件合致情報を受信する。そして、条件合致情報蓄積部１２０２は、条件合致情報受信部１２０１が受信した条件合致情報を蓄積する。
【００３５】
以下、本実施の形態における試験検定システムの具体的な動作について説明する。今、問題処理装置１１は、図４に示す問題情報と解答情報を格納している。図４は、問題解答管理表である。問題は３０問である。また、問題処理装置１１において、試験時間情報「試験開始時刻２００２／８／１９　１１：００；試験終了時刻２００２／８／１９　１２：００」が格納されている。
【００３６】
試験制御部は、試験開始時刻２００２／８／１９　１１：００になった場合に、問題情報出力部に問題情報の出力を指示する。問題出力部は、図４の問題情報を読み込んで、図５の問題一覧画面を構成し、出力する。試験を受けるユーザは、図５の問題一覧画面（メニュー）から好きな問題番号のメニュー項目を選択する。選択は、例えば、マウスクリックにより行われる。今、ユーザは、第２問のメニュー項目（ボタン）をクリックした、とする。
【００３７】
次に、問題出力部は、図４の「ＩＤ＝２」の問題情報を取得し、表示する。問題の表示例を図６に示す。ユーザは、図６の表示画面に対して、正しいと思われる番号の項目をフォーカスして、決定ボタンを押下する。次に、問題出力部は、第３問の問題を表示する。そして、ユーザは同じく、表示画面に対して、正しいと思われる番号の項目をフォーカスして、決定ボタンを押下する。つまり、決定ボタンの押下により、自動的に次の問題が表示される。
【００３８】
今、ユーザが第２問、第３問に対して解答したとする。かかる場合には、入力受付部で受け付けた入力（解答）は、図７に示すように一時的に蓄積される。そして、ユーザは「問題一覧」ボタンを押下する。すると、問題出力部は図８に示す問題一覧画面を出力する。図８の、問題一覧画面では、問題への解答情報の入力があったか否かを視覚的に示す問題メニューが表示されている。つまり、第２問、第３問に対して解答情報の入力があったので、第２問、第３問のメニュー項目の背景色が、他のメニュー項目の背景色とは異なっている。但し、問題出力部は、問題に対する解答の入力があったか否かを視覚的に示す問題メニューを表示すれば良く、ボタンのフォントを変化させるなど、他の方法により問題に対する解答の入力があったか否かを視覚的しても良い。
【００３９】
以上の動作により、ユーザは、試験終了時刻になるまで、解答をする。そして、試験終了時刻になったとする。問題処理装置は、問題を表示している画面を未表示にし、以後、入力できなくする。そして、問題処理装置は、入力された解答が、図４に格納されている解答情報（正解）と比較して、一定の条件に合致しているか否かを判断する。例えば、ここでは、一定の条件は「２５／３０」以上の正解率である、とする。つまり、３０問中、２５問以上の正解率であれば、そのユーザは合格である、とする。
【００４０】
そして、本ユーザは、２８問の正解であった、とする。かかる場合、問題処理装置は、図９に示す構造を有する条件合致情報を構成する。ここでは、条件合致情報は、ユーザ識別子、正解率、入力（ユーザが入力した解答）、試験識別子を有する。具体的には、問題処理装置は、図１０の情報を構成し、サーバ装置に送信する。試験識別子は、試験を識別する情報であり、試験の種類と開催の回数の情報を有する。例えば、試験識別子が「１１０５３」というのは、試験の種類が「１１」、開催回数は第５３回を示す。なお、問題処理装置は、ユーザ識別子、試験識別子は、予め格納している。
【００４１】
次に、サーバ装置は、図１０の条件合致情報を受信し、蓄積する。サーバ装置がどのようなデータ構造の情報として、条件合致情報を蓄積するかは、問わない。つまり、受信した条件合致情報の構造と、蓄積する条件合致情報の構造は異なっても良い。ここでは、例えば、サーバ装置は、図１１のような条件合致情報管理表を構成する。条件合致情報管理表は、「ＩＤ」「試験識別子」「ユーザ識別子」を有する。「試験識別子」は、「試験種別」「回数」を有する。サーバ装置は、条件合致情報管理表により、特定の試験の合格者を管理する。
【００４２】
以上、本実施の形態によれば、一定の条件に合致した場合のみ、その旨をサーバ装置に送信するので、認定試験等をネットワークで行う際の通信負荷が小さくなる。また、問題の一覧画面が表示されるので、好きな問題から解答しやすくなる。また、解答したか否かを視覚的に表示できることにより、ランダムに解答した場合でも、解答状況を把握でき、時間配分が容易になる。
【００４３】
なお、本実施の形態において、試験終了時刻になった場合に、自動的に合否を決定する判断を行ない、合格の場合に自動的にサーバ装置に条件合致情報を送信したが、他の処理でも良い。つまり、試験終了時刻になっていなくても、図１２の問題一覧画面に示す「提出」ボタンの押下により、試験を終了しても良い。つまり、ユーザが「提出」ボタンを押下すると、試験終了時刻になっていなくても試験を終了し、合否判定に入っても良い。かかることは、他の実施の形態においても同様である。
【００４４】
また、条件判断部における判断の結果、一定の条件に合致するとの判断の場合にのみ、条件合致情報を送信することを指示する送信指示入力を受け付けるボタンが表示され、条件合致情報送信部は、ボタンの押下による送信指示入力を受け付けた場合に、条件合致情報を送信しても良い。かかる場合に、ボタンを表示している画面を図１３に示す。さらに、一定の条件に合致しない（不合格の）場合には、図１４に示すような画面を表示しても良い。かかることも、他の実施の形態においても同様である。
【００４５】
また、本実施の形態において、通常は、サーバ装置は、条件合致情報を送信しない問題処理装置の受験者は、一定の条件に合致しない（不合格）と判断するが、一定の条件に合致しないと判断した場合（例えば、不合格のとき）でも、不合格情報をサーバ装置に送信し、サーバ装置で試験の受験履歴を蓄積し、保持しても良い。
【００４６】
また、本実施の形態において、試験時間情報格納部、試験制御部は必須ではない。つまり、問題処理装置における時間管理は必須の機能ではなく、問題処理装置の側で採点を行って、一定の条件に合致している場合にのみ、その旨をサーバ装置に送信すれば良い。かかることも、他の実施の形態においても同様である。かかる場合の問題処理装置は、１以上の問題情報を格納している問題情報格納部と、問題情報が示す問題に対する解答である１以上の解答情報を格納している解答情報格納部と、問題情報格納部に格納されている問題情報を出力する問題情報出力部と、問題情報出力部が出力した問題情報に対する１以上の入力を受け付ける入力受付部と、入力受付部で受け付けた１以上の入力が、解答情報格納部に格納されている１以上の解答情報に基づいて一定の条件に合致するか否かを判断する条件判断部と、条件判断部における判断が一定の条件に合致するとの判断の場合にのみ、条件に合致するとの旨を示す情報である条件合致情報を送信する条件合致情報送信部を具備する問題処理装置、である。
【００４７】
また、本実施の形態において、条件判断は、クライアント（問題処理装置）側で実施したが、試験終了後、受験者の解答をサーバ装置に送信し、サーバ側で条件判断から終了まで実施し、（解答はＴＥＸＴ情報のみであり、１回だけの通信なので、通信負荷にはあまり影響しない）判断結果（合格、得点など）のみを、通信により受験者へ通知したり、後日受験者一斉に発表したり、郵送により通知したりしても良い。かかる場合、解答情報（正解の情報）がサーバ装置側にしかないので、クライアント（問題処理装置）側において不正な制御により問題・解答を閲覧するなどの危険性を防御できる。なお、かかる場合、一定の条件に合致した者（合格者）にのみ、判断結果（合格、得点など）をサーバ装置から問題処理装置に送信しても良い。かかることも、他の実施の形態においても同様である。
【００４８】
また、本実施の形態において、サーバ装置は、正解率や入力情報（ユーザの解答）を利用しなかったが、サーバ装置は、受信した正解率や入力情報に対して統計処理をして、平均点を算出したり、解答の傾向を算出したりしても良い。なお、解答の傾向とは、例えば、問題ごとの合格者の正解率などである。かかることも、他の実施の形態においても同様である。
【００４９】
また、本実施の形態において、条件合致情報に試験を受けた時刻を含めることにより、例えば、サーバ装置で、合格の証明書である認定試験証を発行する際に、いつ合格したのかを記入したりできる。また、試験を複数回に分けて実施したりしでき、かかる場合に、複数回に分けた試験のうち、どの試験の条件合致情報であるかを特定できる。
【００５０】
また、問題ではなく、選択形式における正解の番号を出題に変えるといった処理を、問題情報出力部１１０３で行うこともできる。
【００５１】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかるソフトウェアによる実現については、他の実施の形態において述べた処理も同様である。なお、本実施の形態における各種の処理をソフトウェアで実現した場合の問題処理装置のソフトウェアは、コンピュータに、格納されている問題情報を出力する問題情報出力ステップと、問題情報出力ステップで出力した問題情報に対する１以上の入力を受け付ける入力受付ステップと、入力受付ステップで受け付けた１以上の入力が、格納されている１以上の解答情報に基づいて一定の条件に合致するか否かを判断する条件判断ステップと、条件判断ステップにおける判断が一定の条件に合致するとの判断の場合にのみ、条件に合致するとの旨を示す情報である条件合致情報を送信する条件合致情報送信ステップを実行させるためのプログラム、である。
【００５２】
（実施の形態２）
図１５は、本試験検定システムのブロック図である。試験検定システムは、放送装置１５１、問題処理装置１５２、サーバ装置１２を有する。放送装置１５１は、問題情報保持部１５１０１、採点プログラム保持部１５１０２、条件情報保持部１５１０３、削除命令保持部１５１０４、解答情報保持部１５１０７、放送命令受付部１５１０５、放送部１５１０６を有する。問題処理装置１５２は、受信部１５２０１、採点プログラム格納部１５２０２、条件情報格納部１５２０３、削除命令実行部１５２０４、問題情報格納部１１０１、解答情報格納部１１０２、問題情報出力部１１０３、入力受付部１１０４、条件判断部１１０５、条件合致情報送信部１１０６、試験時間情報格納部１１０７、試験制御部１１０８を
有する。
【００５３】
問題情報保持部１５１０１は、１以上の問題情報を保持している。問題情報のデータ構造やデータタイプ（テキスト、静止画、動画、音声など）は問わない。問題情報保持部１５１０１は、不揮発性の記録媒体でも揮発性の記録媒体でも良い。
【００５４】
採点プログラム保持部１５１０２は、問題処理装置１５２で試験の採点を行う動作をする採点プログラムを保持している。採点プログラム保持部１５１０２は、不揮発性の記録媒体でも揮発性の記録媒体でも良い。
【００５５】
条件情報保持部１５１０３は、問題処理装置１５２において、一定の条件に合致するか否かを判断するための情報である条件情報を保持している。条件情報とは、例えば、合格するための正解率等である。条件情報保持部１５１０３は、不揮発性の記録媒体でも揮発性の記録媒体でも良い。
【００５６】
削除命令保持部１５１０４は、問題処理装置１５２において、問題情報や解答情報などを削除するための命令である削除命令を保持している。削除命令は、通常、削除する問題情報を識別する問題情報識別子や削除する解答情報を識別する解答情報識別子を含む。但し、一括して試験の問題を削除する場合には、削除命令は試験を識別する試験識別子を含む。問題処理装置１５２において、削除命令により問題情報等を削除するのは、ある問題等が不適切な問題であることが分かった場合に、問題処理装置１５２において、当該問題等に対応する問題情報等を削除するためである。削除命令保持部１５１０４は、不揮発性の記録媒体でも揮発性の記録媒体でも良い。
【００５７】
解答情報保持部１５１０７は、１以上の解答情報を保持している。解答情報は、問題情報と対応付けられて保持されている。解答情報のデータ構造やデータタイプ（テキスト、静止画、動画、音声など）は問わない。解答情報保持部１５１０７は、不揮発性の記録媒体でも揮発性の記録媒体でも良い。
【００５８】
放送命令受付部１５１０５は、情報を放送する命令である放送命令を受け付ける。放送命令受付部１５１０５は、キーボードやマウスやリモコン等の入力媒体からの入力を受け付ける。入力受付部１１０４は、キーボード等の入力媒体のドライバーソフトウェア等により実現され得る。
【００５９】
放送部１５１０６は、放送命令受付部１５１０５で受け付けた放送命令に従って、問題情報保持部１５１０１や採点プログラム保持部１５１０２や条件情報保持部１５１０３や削除命令保持部１５１０４や解答情報保持部１５１０７に格納されている情報（プログラムを含む）を取得し、放送する。放送部１５１０６は、通常、デジタル放送であるが、アナログ放送でも良い。
【００６０】
受信部１５２０１は、放送部１５１０６が放送した情報（プログラムを含む）を受信し、適切な記録媒体に記録する。例えば、受信した情報が問題情報であれば、問題情報格納部１１０１に記録する。受信部１５２０１は、チューナーとそのドライバーソフトおよび記録制御するためのソフトウェア等により実現され得る。
【００６１】
採点プログラム格納部１５２０２は、受信部１５２０１が受信して記録した採点プログラムを保持している。採点プログラムは、条件判断部１１０５がユーザの入力（解答）が一定の条件に合致するか否かを判断するためのプログラムである。採点プログラム格納部１５２０２は、不揮発性の記録媒体でも揮発性の記録媒体でも良い。
【００６２】
条件情報格納部１５２０３は、受信部１５２０１が受信して記録した条件情報を格納している。条件情報格納部１５２０３は、不揮発性の記録媒体でも揮発性の記録媒体でも良い。
【００６３】
削除命令実行部１５２０４は、受信部１５２０１が削除命令を受信した場合に、当該削除命令に基づいて、問題情報格納部１１０１の問題情報を削除する。削除命令実行部１５２０４は、通常、ＭＰＵやメモリ等から実現され得る。削除命令実行部１５２０４が問題情報を削除するための処理手順は、通常、ソフトウェアで実現され、当該ソフトウェアはハードディスク等の記録媒体に記録されている。但し、ハードウェア（専用回路）で実現しても良い。
【００６４】
以下、本実施の形態における試験検定システムの動作について説明する。まず、放送装置１５１の動作について説明する。放送装置１５１は、放送命令の入力を受け付ける。そして、放送命令に基づいて、問題情報、または／および採点プログラム、または／および解答情報、または／および条件情報、または／および削除命令を取得し、放送する。問題情報や採点プログラムや条件情報や削除命令は、図示しない手段により入力され、保持されている。
【００６５】
次に、問題処理装置１５２の動作について、図１６のフローチャートを用いて説明する。なお、問題処理装置１５２が試験を開始した後の動作は、実施の形態１における問題処理装置の動作と同じであるので、ここでの説明は省略する。ここでは、問題処理装置１５２が問題情報、または／および解答情報、または／および採点プログラム、または／および条件情報、または／および削除命令を受信して、試験が開始される前までの動作について説明する。
【００６６】
（ステップＳ１６０１）受信部１５２０１は、情報（プログラムを含む）を受信したか否かを判断する。情報を受信すればステップＳ１６０２に行き、情報を受信しなければステップＳ１６０１に戻る。
【００６７】
（ステップＳ１６０２）受信部１５２０１は、受信した情報が問題情報であるか否かを判断する。問題情報であればステップＳ１６０３に行き、問題情報でなければステップＳ１６０４に飛ぶ。
【００６８】
（ステップＳ１６０３）受信部１５２０１は、問題情報を問題情報格納部１１０１に記録する。なお、受信した問題情報は、問題情報に付与されている属性情報を見て、古い問題情報から置き換えられる場合がある。つまり、例えば、同じ資格試験の第３２回の問題情報が問題処理装置に記録されている場合に、第３３回の問題情報を受信したときに、第３２回の問題情報は削除されて、第３３回の問題情報が記録される。「置き換える」というのは、古い情報またはプログラムを削除して、新しい情報またはプログラムを記録することを言い、必ずしも同じメモリ上の同じアドレスに記録するとは限らない。本明細書における「置き換える」という用語の意味はすべてかかる意味である。
【００６９】
（ステップＳ１６０４）受信部１５２０１は、受信した情報が採点プログラムであるか否かを判断する。採点プログラムであればステップＳ１６０５に行き、採点プログラムでなければステップＳ１６０６に飛ぶ。
【００７０】
（ステップＳ１６０５）受信部１５２０１は、採点プログラムを記録する。以後、条件判断部１１０５は、この採点プログラムを実行して、入力が一定の条件に合致するか否かを判断する。なお、古いバージョンの採点プログラムは、受信した採点プログラムに置き換えられる場合がある。
【００７１】
（ステップＳ１６０６）受信部１５２０１は、受信した情報が解答情報であるか否かを判断する。解答情報であればステップＳ１６０７に行き、解答情報でなければステップＳ１６０８に飛ぶ。
【００７２】
（ステップＳ１６０７）受信部１５２０１は、解答情報を解答情報格納部１１０２に記録する。なお、古い解答情報は、解答情報に付与されている属性情報を見て、受信した解答情報に置き換えられる場合がある。
【００７３】
（ステップＳ１６０８）受信部１５２０１は、受信した情報が条件情報であるか否かを判断する。条件情報であればステップＳ１６０９に行き、条件情報でなければステップＳ１６１０に飛ぶ。
【００７４】
（ステップＳ１６０９）受信部１５２０１は、条件情報を記録する。条件情報は、条件判断部１１０５が、入力（ユーザの解答）が一定の条件に合致するか否かを判断するために利用される。なお、古い条件情報は受信した条件情報に置き換えられる場合がある。条件情報とは、例えば、合格のための正解率「２５／３０」等である。
【００７５】
（ステップＳ１６１０）受信部１５２０１は、受信した情報が削除命令であるか否かを判断する。削除命令であればステップＳ１６１１に行き、削除命令でなければステップＳ１６０１に戻る。
【００７６】
（ステップＳ１６１１）削除命令実行部１５２０４は、削除命令を実行し、対応する問題情報等を削除する。
【００７７】
なお、図１６のフローチャートにおいて、電源ＯＦＦなどの割り込み処理により、動作は終了する。また、サーバ装置１２の動作については実施の形態１で説明したので、ここでの説明は省略する。
【００７８】
以下、本実施の形態における試験検定システムの具体的な動作について説明する。今、放送装置は図４の問題情報と解答情報を保持しており、当該問題情報と解答情報を問題処理装置に送信する。そして、問題処理装置は図４の問題情報と解答情報を受信し、格納する。
【００７９】
また、試験の運営側で、先に送信した図４の問題情報と解答情報の中で、「ＩＤ＝６」の問題情報と解答情報に不具合があることが分かった、とする。かかる場合、削除命令「削除　問題情報　ＩＤ＝６，　解答情報　ＩＤ＝６」を放送装置に入力し、かかる削除命令を送信する。次に、問題処理装置は削除命令「削除問題情報　ＩＤ＝６，　解答情報　ＩＤ＝６」を受信する。そして、問題処理装置は削除命令「削除　問題情報　ＩＤ＝６，　解答情報　ＩＤ＝６」を実行し、図４のＩＤ＝６の「問題情報」「解答情報」が削除される。
【００８０】
そして、放送装置から条件情報「２４／２９」という合格するための正解率が送信される。なお、問題の不手際が分かった後に、試験の運営側の方が、条件情報「２４／２９」を入力し、放送をする指示を入力した、とする。
【００８１】
次に、問題処理装置は条件情報「２４／２９」を受信する。そして、問題処理装置は、本試験において、２９問中２４問以上を正解した方を合格者（一定の条件に合致する方）として判断する。判断した後の動作については、実施の形態１で述べたので、ここでの説明は省略する。
【００８２】
また、現在、問題処理装置には、採点プログラムＶ１．１が格納されている。そして、採点プログラムにバグが見つかった場合に、バグを修正し、採点プログラムＶ１．２が完成した、とする。そして、放送装置から採点プログラムＶ１．２を送信する。
【００８３】
次に、問題処理装置には、採点プログラムＶ１．２を受信し、採点プログラムＶ１．１に上書きする。以上により、バグが解消された採点プログラムにより、試験の合否が判断される。
【００８４】
以上、本実施の形態によれば、問題情報等を放送で送信するので、容易に問題情報等の変更が可能である。特に、不具合の問題や解答を容易に差し替えることで、直前の問題等の不具合に対応できる。また、本実施の形態によれば、一定の条件に合致した（合格の）場合のみ、その旨をサーバ装置に送信するので、認定試験等をネットワークで行う際の通信負荷が小さくなる。
【００８５】
なお、本実施の形態において、削除した問題情報や解答情報に対応する新たな問題情報や解答情報を放送しなかったが、新たな問題情報や解答情報を放送しても良い。
【００８６】
また、本実施の形態において、放送により問題情報や解答情報等を送信したが、通信手段を用いて問題情報や解答情報等を送信しても良い。特に、サーバ装置から問題情報や解答情報や削除命令等を送信しても良い。
【００８７】
また、本実施の形態において、問題情報、採点プログラム、条件情報、削除命令は一の放送装置から送信されたが、別々の放送装置や通信装置により送信されても良い。
【００８８】
また、本実施の形態において、試験時間情報は放送装置から送信しなかったが、放送装置やサーバ装置等の外部の装置から問題情報処理装置に試験時間情報を送信しても良い。そして、問題情報処理装置は、試験時間情報を受信し、当該試験時間情報に基づいて、試験の開始、終了の制御を行っても良い。かかることは他の実施の形態においても同様である。
【００８９】
また、問題情報処理装置は、放送装置により現在時刻を入手することにより、全受験者の試験時間を統一することができる（パソコンなら不正に時刻を変更できる）。よって、試験時間の受験者の不平等や時間変更の不正など不適切な受験を防止することができる。なお、複数の問題情報処理装置は、放送装置からではなく、例えば、衛星などの外部から統一して、現在時刻を入手しても良い。かかることは他の実施の形態においても同様である。
【００９０】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかるソフトウェアによる実現については、他の実施の形態において述べた処理も同様である。なお、本実施の形態における各種の処理をソフトウェアで実現した場合の問題処理装置のソフトウェアの一例は、コンピュータに、問題情報を受信する問題情報受信ステップと、受信した問題情報を記録する問題情報記録ステップと、当該問題情報を出力する問題情報出力ステップと、問題情報出力ステップで出力した問題情報に対する１以上の入力を受け付ける入力受付ステップと、入力受付ステップで受け付けた１以上の入力が、格納されている１以上の解答情報に基づいて一定の条件に合致するか否かを判断する条件判断ステップと、条件判断ステップにおける判断が一定の条件に合致するとの判断の場合にのみ、条件に合致するとの旨を示す情報である条件合致情報を送信する条件合致情報送信ステップを実行させるためのプログラム、である。
【００９１】
（実施の形態３）
図１７は、本試験検定システムのブロック図である。試験検定システムは、放送装置１７１、問題処理装置１７２、サーバ装置１２を有する。放送装置１７１は、問題情報保持部１５１０１、採点プログラム保持部１５１０２、条件情報保持部１５１０３、削除命令保持部１５１０４、問題構成情報保持部１７１０１、試験時間情報保持部１７１０２、放送命令受付部１５１０５、放送部１５１０６を有する。問題処理装置１５２は、受信部１５２０１、採点プログラム格納部１５２０２、条件情報格納部１５２０３、削除命令実行部１５２０４、問題情報格納部１１０１、解答情報格納部１１０２、問題構成情報格納部１７２０１、分類情報入力受付部１７２０２、問題情報出力部１７１０３、入力受付部１１０４、条件判断部１１０５、条件合致情報送信部１１０６、試験時間情報格納部１１０７、試験制御部１１０８を有する。
【００９２】
問題構成情報保持部１７１０１は、問題情報出力部が出力する問題を構成するための情報である問題構成情報を保持している。問題構成情報のデータ構造等は問わない。問題構成情報の具体例は以下で述べる。問題構成情報保持部１７１０１は、不揮発性の記録媒体でも揮発性の記録媒体でも良い。
【００９３】
試験時間情報保持部１７１０２は、試験時間情報を保持している。試験時間情報のデータ構造等は問わない。試験時間情報保持部１７１０２は、不揮発性の記録媒体でも揮発性の記録媒体でも良い。
【００９４】
問題構成情報格納部１７２０１は、問題構成情報を格納している。この問題構成情報は、受信部１５２０１が受信した情報である。問題構成情報格納部１７２０１は、不揮発性の記録媒体でも揮発性の記録媒体でも良い。
【００９５】
分類情報入力受付部１７２０２は、試験や問題等を分類する情報である分類情報の入力を受け付ける。分類情報には、試験の難易度を区別するための情報や、試験の種類を区別する情報などがある。つまり、分類情報入力受付部１７２０２は、ユーザ（受験者）が入力する試験の難易度や試験の種類等を受け付ける。分類情報のデータ構造やデータタイプ等は問わない。分類情報の具体例は以下で述べる。分類情報入力受付部１７２０２は、通常、キーボードやマウスやリモコン等の入力媒体からの入力を受け付ける。但し、分類情報入力受付部１７２０２は、外部の装置から入力を受信しても良い。分類情報入力受付部１７２０２は、マウス等の入力媒体のドライバーソフトウェア等により実現され得る。
【００９６】
問題情報出力部１７１０３は、問題構成情報および／または分類情報に基づいて、問題情報格納部１１０１から問題を選択して出力する。出力とは、通常、ディスプレイへの表示であるが、スピーカーへの音声出力、プリンタへの印字、点字による出力なども含む概念である。問題情報出力部１７１０３は、ディスプレイへの出力媒体を含む場合と、出力媒体を含まない場合がある。問題情報出力部１７１０３は、出力媒体に情報を渡すソフトウェアまたはハードウェア（専用回路）により実現され得る。当該ソフトウェアは、ハードディスク等に格納されている。
【００９７】
以下、本実施の形態における試験検定システムの動作について説明する。まず、放送装置１７１の動作について説明する。放送装置１７１は、放送命令の入力を受け付ける。そして、放送命令に基づいて、問題情報、または／および採点プログラム、または／および解答情報、または／および条件情報、または／および削除命令、または／および試験時間情報、または／および問題構成情報を取得し、放送する。問題情報や採点プログラムや解答情報や条件情報や削除命令や問題構成情報は、図示しない手段により入力され、保持されている。
【００９８】
次に、問題処理装置１７２の動作について説明する。なお、問題処理装置１７２が試験を開始した後の動作は、実施の形態１における問題処理装置の動作と同じであるので、ここでの説明は省略する。また、問題処理装置１７２は、受信した問題情報、または／および解答情報、または／および採点プログラム、または／および条件情報、または／および削除命令は、実施の形態２の図１６のフローチャートで述べた動作により処理される。また、問題処理装置１７２は、受信した問題構成情報を問題構成情報格納部１７２０１に記録する。さらに、問題処理装置１７２は、受信した試験時間情報を試験時間情報格納部１１０７に記録する。ここでは、問題処理装置１７２が、問題構成情報または／および分類情報に基づいて問題情報を出力する動作について、図１８のフローチャートを用いて説明する。
【００９９】
（ステップＳ１８０１）問題情報出力部１７１０３は、分類情報入力受付部１７２０２が分類情報の入力を受け付けたか否かを判断する。分類情報の入力を受け付ければステップＳ１８０２に行き、分類情報の入力を受け付けなければステップＳ１８０４に飛ぶ。
【０１００】
（ステップＳ１８０２）分類情報を一時メモリに格納する。
【０１０１】
（ステップＳ１８０３）問題情報出力部１７１０３は、分類情報に基づいて、問題構成情報格納部１７２０１の問題構成情報を選択して、取得する。
【０１０２】
（ステップＳ１８０４）問題情報出力部１７１０３は、問題構成情報格納部１７２０１からデフォルトの問題構成情報を取得する。
【０１０３】
（ステップＳ１８０５）問題情報出力部１７１０３は、ステップＳ１８０３またはステップＳ１８０４で取得した問題構成情報に基づいて、問題情報格納部１１０１から１以上の問題情報を選択する。
【０１０４】
（ステップＳ１８０６）問題情報出力部１７１０３は、ステップＳ１８０５で選択した問題情報を出力する。
【０１０５】
以下、本実施の形態における試験検定システムの具体的な動作について説明する。今、放送装置は図１９の問題情報と解答情報を保持しており、当該問題情報と解答情報を問題処理装置に送信する。図１９は、問題解答管理表であり、「ＩＤ」「難易度」「問題」「解答」を含むレコードを１００管理している。「ＩＤ」は、レコードを識別する情報であり、表管理のために必要である。「難易度」「問題」は、問題情報である。「難易度」は問題の難易度を示し、「５」が最も難しい問題であることを示し、「１」は最も易しい問題であることを示す。「解答」は解答情報である。また、放送装置は図２０の問題構成情報を保持しており、当該問題構成情報を問題処理装置に送信する。図２０は問題構成情報管理表である。問題構成情報管理表は、「ＩＤ」「試験レベル」「選択問題数」を有するレコードを複数管理する。「試験レベル」は試験のレベルを示す。「選択問題数」は、各難易度の問題から選択する問題の数を示す情報である。「上級者資格試験」において選択する問題は、難易度「３」の問題が１０問、難易度「４」の問題が２０問、および難易度「５」の問題が２０問である。そして、問題処理装置は図１９の問題情報と解答情報、および図２０の問題構成情報を受信し、格納する。
【０１０６】
次に、試験を受けるユーザは、例えば、図２１の画面で、試験レベルを選択する。今、ユーザ（被試験者）は、１の「上級者資格試験」のボタンを選択したとする。すると、問題処理装置は、図２０の「ＩＤ＝１」の問題構成情報を選択して、取得する。
【０１０７】
次に、問題処理装置は、図１９の問題から「難易度＝５」の問題を２０問、「難易度＝４」の問題を２０問、「難易度＝３」の問題を１０問選択して出力する。なお、「難易度＝３」の問題を１０問は、乱数等を用いてランダムに選択される。そして、５０問の問題は、例えば、図８に示すように表示される。
【０１０８】
以上、本実施の形態によれば、問題処理装置で自由に問題を選択して、各種の資格試験や認定試験に対応できる。また、いろいろなレベルの資格試験や認定試験に対応できる。
【０１０９】
なお、本実施の形態において、問題処理装置において問題を選択した。しかし、問題の選択は、放送装置やサーバ装置等で行っても良い。つまり、放送装置やサーバ装置等の問題処理装置（端末）以外の装置が、問題構成情報または／および分類情報に基づいて問題を選択しても良い。問題を選択するアルゴリズムの例は、上述した通りである。
【０１１０】
また、本実施の形態において、問題構成情報や分類情報等は、放送装置から送信されたが、問題処理装置が予め保持していても良い。また、問題構成情報や分類情報等は、サーバ装置や他の装置から問題処理装置に送信されても良い。
【０１１１】
また、本実施の形態において、問題処理装置が受信した新たな問題構成情報や分類情報などの情報は、古い問題構成情報や分類情報などの情報を置き換えても良い。
【０１１２】
また、本実施の形態において述べた問題構成情報や分類情報の例が一例であるのは言うまでもない。
【０１１３】
また、本実施の形態の具体例において、問題処理装置は問題構成情報および分類情報に基づいて問題情報を選択したが、問題構成情報のみ、または分類情報のみに基づいて問題情報を選択しても良い。
【０１１４】
また、図２０に示した問題構成情報については、あらかじめ出題する問題を決めて、例えば上級者試験に出題する試験問題のＩＤを直接指定するものであっても構わない。例えば、期間や日時により一意に問題構成情報を問題処理装置に送信すれば、その期間や日時において受験した者は、同じ問題に取り組み、期間や日時が異なれば、別の問題に取り組むことができる。期間や日時により、出題する問題が管理できるため受験者からの問い合わせやトラブル時の対処などに有効である。
【０１１５】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかるソフトウェアによる実現については、他の実施の形態において述べた処理も同様である。なお、本実施の形態における各種の処理をソフトウェアで実現した場合の問題処理装置のソフトウェアは、コンピュータに、格納されている問題構成情報に基づいて、格納されている複数の問題情報から選択して問題情報を出力する問題情報出力ステップと、問題情報出力ステップで出力した問題情報に対する１以上の入力を受け付ける入力受付ステップと、入力受付ステップで受け付けた１以上の入力が、格納されている１以上の解答情報に基づいて一定の条件に合致するか否かを判断する条件判断ステップと、条件判断ステップにおける判断が一定の条件に合致するとの判断の場合にのみ、条件に合致するとの旨を示す情報である条件合致情報を送信する条件合致情報送信ステップを実行させるためのプログラム、である。
【０１１６】
（実施の形態４）
図２２は、本試験検定システムのブロック図である。試験検定システムは、放送装置２２１、問題処理装置２２２、サーバ装置２２３を有する。放送装置２２１は、問題情報保持部１５１０１、採点プログラム保持部１５１０２、条件情報保持部１５１０３、放送命令受付部１５１０５、放送部１５１０６、解答情報保持部１５１０７を有する。問題処理装置２２２は、受験資格確認情報送信部２２２０１、認証結果情報受信部２２２０２、受信部１５２０１、採点プログラム格納部１５２０２、条件情報格納部１５２０３、削除命令受信部２２２０３、削除命令実行部１５２０４、問題情報格納部１１０１、解答情報格納部１１０２、問題情報出力部２２２０４、入力受付部１１０４、条件判断部１１０５、条件合致情報送信部１１０６、試験時間情報格納部１１０７、試験制御部１１０８を有する。サーバ装置２２３は、受験履歴情報格納部２２３０１、受験資格確認情報受信部２２３０２、受験履歴情報取得部２２３０３、認証結果情報構成部２２３０４、認証結果情報送信部２２３０５、条件合致情報受信部１２０１、条件合致情報蓄積部１２０２、削除命令保持部２２３０６、削除命令送信部２２３０７を有する。
【０１１７】
受験資格確認情報送信部２２２０１は、問題情報出力部２２２０４が問題情報を出力する前、または／および入力受付部１１０４が入力を受け付ける前にサーバ装置２２３に受験資格を確認する情報である受験資格確認情報を送信する。受験資格確認情報のデータ構造やデータタイプ等は問わない。受験資格確認情報は、ユーザの受験資格を確認するための情報であれば良い。受験資格確認情報は、例えば、ユーザ識別子を有する。受験資格確認情報送信部２２２０１は、通常、無線または有線の通信手段で実現されるが、放送手段でも実現可能である。
【０１１８】
認証結果情報受信部２２２０２は、サーバ装置２２３から受験資格確認情報の送信に対応する認証結果を示す認証結果情報を受信する。認証結果情報受信部２２２０２は、通常、無線または有線の通信手段で実現されるが、放を受信する手段でも実現可能である。
【０１１９】
削除命令受信部２２２０３は、サーバ装置２２３から問題情報や解答情報等の削除命令を受信する。なお、削除命令受信部２２２０３が受信した削除命令は、削除命令実行部１５２０４が実行をする。その実行の結果、問題情報格納部１１０１の問題の一部または全部、または／および解答情報格納部１１０２の解答情報の一部または全部が削除される。削除命令受信部２２２０３は、通常、無線または有線の通信手段で実現されるが、放送を受信する手段でも実現可能である。
【０１２０】
問題情報出力部２２２０４は、認証結果情報が「適」である場合のみ問題情報を出力する。「適」とは、試験を受けることを許可された、という意味である。つまり、問題情報出力部２２２０４は、認証結果情報受信部２２２０２が受信した認証結果情報に基づいて問題情報を出力したり、出力しなかったりする。問題情報出力部２２２０４は、ディスプレイ等の出力媒体を含む場合と、出力媒体を含まない場合がある。問題情報出力部２２２０４は、出力媒体に情報を渡すソフトウェアまたはハードウェア（専用回路）により実現され得る。
【０１２１】
受験履歴情報格納部２２３０１は、試験の受験者を識別する情報であるユーザ識別子を含む受験履歴情報を格納している。受験履歴情報のデータ構造やデータタイプは問わない。受験履歴情報格納部２２３０１は、不揮発性の記録媒体でも、揮発性の記録媒体でも良い。
【０１２２】
受験資格確認情報受信部２２３０２は、ユーザ識別子を含む受験資格確認情報を受信する。受験資格確認情報受信部２２３０２は、通常、無線または有線の通信手段で実現されるが、放送を受信する手段でも実現可能である。
【０１２３】
受験履歴情報取得部２２３０３は、受験資格確認情報受信部２２３０２が受信した受験資格確認情報が有するユーザ識別子と一致するユーザ識別子を有する受験履歴情報を受験履歴情報格納部２２３０１から取得する。受験履歴情報取得部２２３０３は、通常、ＭＰＵやメモリ等から実現され得る。受験履歴情報取得部２２３０３が受験履歴情報を取得するための処理手順は、通常、ソフトウェアで実現され、当該ソフトウェアはハードディスク等の記録媒体に記録されている。但し、ハードウェア（専用回路）で実現しても良い。
【０１２４】
認証結果情報構成部２２３０４は、受験履歴情報取得部２２３０３が取得した受験履歴情報に基づいて受験資格を認証し、認証結果情報を構成する。具体的には、例えば、認証結果情報構成部２２３０４は、受験履歴情報取得部２２３０３が取得した受験履歴情報に基づいて、同一の試験を既に合格している受験者を「不適」とする認証結果情報を構成する。その他の場合は「適」とする認証結果情報を構成する。また、例えば、認証結果情報構成部２２３０４は、受験履歴情報取得部２２３０３が取得した受験履歴情報に基づいて、同一の試験を同日に既に受験した受験者を「不適」とする認証結果情報を構成する。その他の場合は「適」とする認証結果情報を構成する。認証結果情報構成部２２３０４は、通常、ＭＰＵやメモリ等から実現され得る。認証結果情報構成部２２３０４の上記の処理手順は、通常、ソフトウェアで実現され、当該ソフトウェアはハードディスク等の記録媒体に記録されている。但し、ハードウェア（専用回路）で実現しても良い。
【０１２５】
認証結果情報送信部２２３０５は、認証結果情報構成部２２３０４が構成した認証結果情報を問題処理装置２２２に送信する。認証結果情報送信部２２３０５は、通常、無線または有線の通信手段で実現されるが、放送手段でも実現可能である。
【０１２６】
削除命令保持部２２３０６は、削除命令を保持している。削除命令の構造は問わない。削除命令は、通常、人手により入力される。削除命令保持部２２３０６は、不揮発性の記録媒体でも、揮発性の記録媒体でも良い。
【０１２７】
削除命令送信部２２３０７は、削除命令保持部２２３０６の削除命令を問題処理装置２２２に送信する。削除命令送信部２２３０７は、通常、無線または有線の通信手段で実現されるが、放送手段でも実現可能である。
【０１２８】
以下、本実施の形態における試験検定システムの動作について説明する。まず、放送装置２２１の動作について説明する。放送装置２２１は、放送命令の入力を受け付ける。そして、放送命令に基づいて、問題情報、または／および採点プログラム、または／および解答情報、または／および条件情報、または／および解答情報を取得し、放送する。問題情報や採点プログラムや条件情報や解答情報は、図示しない手段により入力され、保持されている。
【０１２９】
次に、問題処理装置２２２の動作について、図２３のフローチャートを用いて説明する。但し、問題処理装置２２２が試験を開始した後の動作は、実施の形態１における問題処理装置の動作とほぼ同じであるので、ここでの説明は省略する。ここでは、問題処理装置２２２がサーバ装置に受験資格確認情報を送信して、認証されるところの処理について説明する。なお、実施の形態１における問題処理装置の動作は、削除命令を放送装置から受信したが、問題処理装置２２２は削除命令をサーバ装置２２３から受信する。問題処理装置２２２は、削除命令が示す問題情報や解答情報や条件情報や試験時間情報を削除する。
【０１３０】
（ステップＳ２３０１）受験資格確認情報送信部２２２０１は、受験資格確認情報を送信すべき時刻になったか否かを判断する。受験資格確認情報を送信すべき時刻であればステップＳ２３０２に行く、受験資格確認情報を送信すべき時刻でなければステップＳ２３０１に戻る。受験資格確認情報を送信すべき時刻とは、例えば、試験時間情報が有する試験開始時刻情報が示す試験開始時刻の１０分前である。なお、ユーザの入力指示により、ステップＳ２３０２に行っても良い。
【０１３１】
（ステップＳ２３０２）受験資格確認情報送信部２２２０１は、受験資格確認情報を取得する。受験資格確認情報は、予め格納されていても良いし、ユーザから入力されても良い。通常、受験資格確認情報は、ユーザ識別子を含む。
【０１３２】
（ステップＳ２３０３）受験資格確認情報送信部２２２０１は、ステップＳ２３０２で取得した受験資格確認情報をサーバ装置２２３に送信する。
【０１３３】
（ステップＳ２３０４）認証結果情報受信部２２２０２は、認証結果情報を受信したか否かを判断する。認証結果情報を受信すればステップＳ２３０５に行き、認証結果情報を受信しなければステップＳ２３０４に戻る。
【０１３４】
（ステップＳ２３０５）問題情報出力部２２２０４は、ステップＳ２３０４で受信した認証結果情報が「適」を示す情報であるか否かを判断する。「適」を示す情報であればステップＳ２３０６に行き、「適」を示す情報でなければステップＳ２３０９に飛ぶ。
【０１３５】
（ステップＳ２３０６）削除命令受信部２２２０３は、サーバ装置２２３から削除命令を受信したか否かを判断する。削除命令を受信すればステップＳ２３０７に行き、削除命令を受信しなければステップＳ２３０９に飛ぶ。
【０１３６】
（ステップＳ２３０７）削除命令実行部１５２０４は、ステップＳ２３０６で受信した削除命令を実行する。削除命令実行の詳細な手順は上述したので、ここでは説明しない。
【０１３７】
（ステップＳ２３０８）問題情報出力部２２２０４は、問題情報格納部１１０１から問題情報を取得し、出力する。
【０１３８】
（ステップＳ２３０９）問題情報出力部２２２０４は、認証の結果、受験できない旨の情報を出力する。ここでの出力は、表示が好適であるが、音声や信号音の出力等でも良い。なお、かかる情報は、サーバ装置２２３から受信しても良いし、予め問題処理装置２２２が保持していても良い。
【０１３９】
次に、サーバ装置２２３が認証処理をする動作について、図２４のフローチャートを用いて説明する。なお、サーバ装置２２３が条件合致情報を受信して蓄積する動作については既に説明したので、ここでの説明は省略する。
【０１４０】
（ステップＳ２４０１）受験資格確認情報受信部２２３０２は、受験資格確認情報を受信したか否かを判断する。受験資格確認情報を受信すればステップＳ２４０２に行き、受験資格確認情報を受信しなければステップＳ２４０１に戻る。
【０１４１】
（ステップＳ２４０２）受験履歴情報取得部２２３０３は、受験履歴情報格納部２２３０１に格納されている受験履歴情報を取得する。通常、受験履歴情報が有するユーザ識別子に合致するユーザ識別子を有する受験履歴情報を取得する。
【０１４２】
（ステップＳ２４０３）認証結果情報構成部２２３０４は、ステップＳ２４０２で取得した受験履歴情報に基づいて、受験資格確認を送信してきたユーザ（受験者）に受験資格があるか否かを判断する（認証する）。
【０１４３】
（ステップＳ２４０４）認証結果情報構成部２２３０４は、ステップＳ２４０３における認証に基づいて、認証結果情報を構成する。
【０１４４】
（ステップＳ２４０５）認証結果情報構成部２２３０４は、ステップＳ２４０４で構成した認証結果情報を問題処理装置２２２に送信する。
【０１４５】
（ステップＳ２４０６）削除命令送信部２２３０７は、ステップＳ２４０３における認証結果が「適」（受験資格あり）であるか否かを判断する。「適」であればステップＳ２４０７に行く、「適」でなければ処理を終了する。
【０１４６】
（ステップＳ２４０７）削除命令送信部２２３０７は、削除命令保持部２２３０６に削除命令が存在するか否かを判断する。削除命令が存在すればステップＳ２４０８に行き、削除命令が存在しなければ処理を終了する。
【０１４７】
（ステップＳ２４０８）削除命令送信部２２３０７は、削除命令保持部２２３０６に保持されている削除命令を問題処理装置２２２に送信する。
【０１４８】
（ステップＳ２４０９）受験履歴情報格納部２２３０１に受験履歴を記録する。受験履歴の記録は、通常、ユーザ識別子と試験を識別する試験識別子等を記録する。なお、試験の結果も、試験終了時に送付されてきた条件合致情報に基づいて記録する。処理を終了する。
【０１４９】
以下、本実施の形態における試験検定システムの具体的な動作について説明する。まず、問題処理装置は、図２５のような受験資格確認情報を保持している。受験資格確認情報は、ユーザ識別子（ユーザＩＤ）と試験ＩＤを有する。ユーザＩＤは、受験者を識別する情報である。試験ＩＤは、受験する試験を識別する情報である。
【０１５０】
また、サーバ装置は、図２６に示す受験履歴情報を格納している。図２６は受験履歴情報管理表である。受験履歴情報管理表は、「ユーザＩＤ」「試験ＩＤ」「受験日」「回数」「合否」を有するレコードを１以上、管理する。「受験日」は、試験を受けた日である。「回数」は試験の開催回数である。「合否」は、その試験に受験者が合格したか否かを示す情報である。「合否」の値が「１」であれば、そのユーザは合格したことを示し、「合否」の値が「２」であれば、そのユーザは不合格であったことを示す。
【０１５１】
かかる場合、問題処理装置は、試験の開始の一定時間前に、格納している図２５の受験資格確認情報をサーバ装置に送信する。サーバ装置は、図２５の受験資格確認情報を受信する。次に、サーバ装置は、図２５のユーザＩＤ「１００２５」と試験ＩＤ「０００３１」をキーとして、図２６の表を検索する。そして、サーバ装置は、ユーザＩＤ「１００２５」で示される受験者が既に試験ＩＤ「０００３１」で識別される試験に合格していないか否かを判断する。また、サーバ装置は、ユーザＩＤ「１００２５」で示される受験者が同日に２回以上、試験ＩＤ「０００３１」で識別される試験を受験することにならないか否かを判断する。なお、現在、２００２／８／３０である、とする。
【０１５２】
図２６の受験履歴情報管理表によれば、上記の２つの要件を満たさないので、サーバ装置は、ユーザＩＤ「１００２５」のユーザが、試験ＩＤ「０００３１」の試験を受験することができる、つまり、認証結果が「適」であると判断する。そして、サーバ装置は、例えば、図２７の認証結果情報を構成する。ここでは、認証結果情報は、「認証結果」と「付属情報」を有する。「認証結果」は、認証の結果が「適」か「不適」かを示す。「認証結果」の値が「１」であれば、認証の結果が「適」である。「認証結果」の値が「２」であれば、認証の結果が「不適」である。また、「付属情報」は認証結果についての詳細な説明である。「付属情報」は予めサーバ装置が保持しており、認証の判断結果に基づいてサーバ装置が自動的に選択する。次に、サーバ装置は、図２７の認証結果情報を問題処理装置に送信する。
【０１５３】
次に、問題処理装置は、図２７の認証結果情報を受信する。そして、問題処理装置は、図２７の認証結果情報が有する「付属情報」を図２８のように表示する。これにより、ユーザは、認証結果を十分に理解できる。
【０１５４】
同様に、例えば、ユーザＩＤ「１００２１」の受験者が、試験ＩＤ「０００３１」の試験を２００２／８／３０に受験しようとする、とする。かかる場合、問題処理装置は、試験開始前に、ユーザＩＤ「１００２１」、試験ＩＤ「０００３１」を有する受験資格確認情報をサーバ装置に送信する。次に、サーバ装置は、その受験資格確認情報を受信する。次に、サーバ装置は、ユーザＩＤ「１００２１」、試験ＩＤ「０００３１」をキーとして、図２６の受験履歴情報管理表を検索する。そして、サーバ装置は、ユーザＩＤ「１００２１」の受験者は、本日（２００２／８／３０）試験ＩＤ「０００３１」の試験を既に受験している、と判断する。そして、サーバ装置は、認証結果を「不適」とし、図２９の認証結果情報を構成する。そして、サーバ装置は、図２９の認証結果情報を問題処理装置に送信する。次に、問題処理装置は、図２９の認証結果情報を受信し、図３０のように「付属情報」を表示する。その結果、ユーザは、その試験を受験できないことを知る。
【０１５５】
なお、試験終了後の一定時刻まで等の一定の時間の間に、サーバ装置に条件合格情報を送信しなかった問題処理装置の受験者は、通常、当該試験に不合格としてサーバ装置に認識される。そして、サーバ装置は、通常、当該受験者が当該試験に不合格となった旨を記録する。
【０１５６】
同じく、例えば、ユーザＩＤ「１００２６」の受験者が、試験ＩＤ「０００３１」の試験を２００２／８／３０に受験しようとする、とする。そして、問題処理装置は、ユーザＩＤ「１００２６」、試験ＩＤ「０００３１」を有する受験資格確認情報をサーバ装置に送信する。次に、サーバ装置は、その受験資格確認情報を受信する。そして、サーバ装置は、ユーザＩＤ「１００２６」、試験ＩＤ「０００３１」をキーとして、図２６の受験履歴情報管理表を検索する。そして、サーバ装置は、ユーザＩＤ「１００２６」の受験者は、試験ＩＤ「０００３１」の試験には既に合格している、として図３１の認証結果情報を構成する。そして、サーバ装置は、図３１の認証結果情報を問題処理装置に送信する。そして、問題処理装置は、その認証結果情報を受信し、認証結果情報が有する付属情報を表示する。
【０１５７】
なお、サーバ装置は、削除命令を保持している場合は、認証時に、削除命令を問題処理装置に送信する。問題処理装置は、削除命令を受信し、実行する。その結果、問題処理装置は、削除命令が示す削除すべき問題情報や解答情報等を削除する。問題処理装置が問題情報等を削除する動作については、上記の実施の形態において詳細に説明したので、ここでは詳細には説明しない。
【０１５８】
以上、本実施の形態によれば、受験の前に認証を行って、その認証の結果が「適」である場合にのみ問題情報を出力した。従って、受験することが不適切なユーザは受験できない仕組みを提供でき、適切な試験システムを提供できる。また、サーバ装置から削除命令を送信し、問題処理装置により一部、または全部の問題情報等を削除できるようにすることにより、不適切な問題等が存在した場合に、適切に対処できる。特に、削除命令を認証時に行うことにより、直前の問題や解答等の訂正に対応できる。
【０１５９】
なお、本実施の形態において、認証の結果が「不適」である場合は、問題処理装置は問題情報を出力しなかった。しかし、認証の結果が「不適」である場合は、問題処理装置は、問題情報は出力して、解答を受け付け、試験をあたかも受けさせているようにさせて、条件合致情報を送信しなくする、という処理を行っても良い。その他、問題処理装置は、認証の結果が「不適」である場合に、問題処理装置のディスプレイの表示をＯＦＦにしたり、入力受付部が入力を受け付けられなくしたりしても良い。つまり、問題処理装置は、認証の結果が「不適」である場合に、「適」である場合と違って、適正に動作しなければ良い。従って、問題処理装置は、認証結果情報が示す認証結果によって動作が異なれば良い。
【０１６０】
また、本実施の形態において、サーバ装置において、受験履歴情報に基づいてユーザの受験資格の認証を行った。しかし、受験料の支払いの有無や他の情報に基づいて認証を行っても良い。つまり、サーバ装置は、受験資格を確認する何らかの情報である受験資格確認情報に基づいて当該問題処理装置の受験資格を認証すれば良い。
【０１６１】
また、本実施の形態において、受験資格確認情報はユーザ識別子を有する例を用いて説明したが、ユーザ識別子は必ずしもなくても良い。受験資格確認情報は、問題処理装置から受験をすることを許可するための情報であれば良い。
【０１６２】
また、問題情報を暗号化処理しておき、認証結果とともに解凍キーを問題処理装置に送信することで、問題処理装置は問題が表示する構成としても良い。これにより、ユーザが問題処理装置に不正にアクセスし、問題・解答情報を入手することを防止することができる。かかることは他の実施の形態においても同様である。
【０１６３】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかるソフトウェアによる実現については、他の実施の形態において述べた処理も同様である。なお、本実施の形態における各種の処理をソフトウェアで実現した場合の問題処理装置のソフトウェアは、コンピュータに、問題情報を出力する前、または／および入力を受け付ける前に受験資格を確認する情報である受験資格確認情報をサーバ装置に送信する受験資格確認情報送信ステップと、サーバ装置から前記受験資格確認情報の送信に対応する認証結果を示す認証結果情報を受信する認証結果情報受信ステップをさらに実行させ、当該認証結果情報に基づいて動作が異なるプログラム、である。
【０１６４】
【発明の効果】
本発明によれば、認定試験等をネットワークで行う際の通信負荷が小さくなる。
【図面の簡単な説明】
【図１】実施の形態１に係る試験検定システムの概念図
【図２】実施の形態１に係る試験検定システムのブロック図
【図３】実施の形態１に係る問題処理装置の動作について説明するフローチャート
【図４】実施の形態１に係る問題解答管理表を示す図
【図５】実施の形態１に係る問題一覧画面の例を示す図
【図６】実施の形態１に係る問題表示例を示す図
【図７】実施の形態１に係る入力蓄積の例を示す図
【図８】実施の形態１に係る問題一覧画面の例を示す図
【図９】実施の形態１に係る条件合致情報の構造の例を示す図
【図１０】実施の形態１に係る条件合致情報の例を示す図
【図１１】実施の形態１に係る条件合致情報管理表を示す図
【図１２】実施の形態１に係る問題一覧画面の例を示す図
【図１３】実施の形態１に係る表示画面の例を示す図
【図１４】実施の形態１に係る表示画面の例を示す図
【図１５】実施の形態２に係る試験検定システムのブロック図
【図１６】実施の形態２に係る問題処理装置の動作について説明するフローチャート
【図１７】実施の形態３に係る試験検定システムのブロック図
【図１８】実施の形態３に係る問題処理装置の動作について説明するフローチャート
【図１９】実施の形態３に係る問題情報と解答情報の例を示す図
【図２０】実施の形態３に係る問題構成情報管理表を示す図
【図２１】実施の形態３に係る表示画面の例を示す図
【図２２】実施の形態４に係る試験検定システムのブロック図
【図２３】実施の形態４に係る問題処理装置の動作について説明するフローチャート
【図２４】実施の形態４に係るサーバ装置の動作について説明するフローチャート
【図２５】実施の形態４に係る受験資格確認情報の例を示す図
【図２６】実施の形態４に係る受験履歴情報管理表を示す図
【図２７】実施の形態４に係る認証結果情報の例を示す図
【図２８】実施の形態４に係る表示画面の例を示す図
【図２９】実施の形態４に係る認証結果情報の例を示す図
【図３０】実施の形態４に係る表示画面の例を示す図
【図３１】実施の形態４に係る認証結果情報の例を示す図
【図３２】従来の検定試験システムの概念図
【符号の説明】
１１、１５２、１７２、２２２　問題処理装置
１２、２２３　サーバ装置
１５１、１７１、２２１　放送装置
１１０１　問題情報格納部
１１０２　解答情報格納部
１１０３、１７１０３、２２２０４　問題情報出力部
１１０４　入力受付部
１１０５　条件判断部
１１０６　条件合致情報送信部
１１０７　試験時間情報格納部
１１０８　試験制御部
１２０１　条件合致情報受信部
１２０２　条件合致情報蓄積部
１５１０１　問題情報保持部
１５１０２　採点プログラム保持部
１５１０３　条件情報保持部
１５１０４、２２３０６　削除命令保持部
１５１０５　放送命令受付部
１５１０６　放送部
１５１０７　解答情報保持部
１５２０１　受信部
１５２０２　採点プログラム格納部
１５２０３　条件情報格納部
１５２０４　削除命令実行部
１７１０１　問題構成情報保持部
１７１０２　試験時間情報保持部
１７２０１　問題構成情報格納部
１７２０２　分類情報入力受付部
２２２０１　受験資格確認情報送信部
２２２０２　認証結果情報受信部
２２２０３　削除命令受信部
２２３０１　受験履歴情報格納部
２２３０２　受験資格確認情報受信部
２２３０３　受験履歴情報取得部
２２３０４　認証結果情報構成部
２２３０５　認証結果情報送信部
２２３０７　削除命令送信部
【図１】
2004086670.tif 000003
【図２】
2004086670.tif 000004
【図３】
2004086670.tif 000005
【図４】
2004086670.tif 000006
【図５】
2004086670.tif 000007
【図６】
2004086670.tif 000008
【図７】
2004086670.tif 000009
【図８】
2004086670.tif 000010
【図９】
2004086670.tif 000011
【図１０】
2004086670.tif 000012
【図１１】
2004086670.tif 000013
【図１２】
2004086670.tif 000014
【図１３】
2004086670.tif 000015
【図１４】
2004086670.tif 000016
【図１５】
2004086670.tif 000017
【図１６】
2004086670.tif 000018
【図１７】
2004086670.tif 000019
【図１８】
2004086670.tif 000020
【図１９】
2004086670.tif 000021
【図２０】
2004086670.tif 000022
【図２１】
2004086670.tif 000023
【図２２】
2004086670.tif 000024
【図２３】
2004086670.tif 000025
【図２４】
2004086670.tif 000026
【図２５】
2004086670.tif 000027
【図２６】
2004086670.tif 000028
【図２７】
2004086670.tif 000029
【図２８】
2004086670.tif 000030
【図２９】
2004086670.tif 000031
【図３０】
2004086670.tif 000032
【図３１】
2004086670.tif 000033
【図３２】
2004086670.tif 000034